(57)【特許請求の範囲】
【請求項１】
基地局（１１０）と端末（１２０）とを有する通信システムにおいて、確認応答／否定応答の“ＡＣＫ”／“ＮＡＫ”メッセージを前記基地局（１１０）に提供する前記端末（１２０）における方法であって、前記方法は、
前記基地局（１１０）からのダウンリンク割当てで検出されたダウンリンク・サブフレーム数ｋ個を計数する（６０１）工程と、
前記ｋ個のダウンリンク・サブフレームに含まれる複数のトランスポート・ブロック各々が正しく受信されたかどうかを確証する（６０２）工程と、
前記ｋ個のダウンリンク・サブフレームに含まれる複数のトランスポート・ブロック各々が正しく受信されたとして推定された場合、前記ｋ個のサブフレームに関するエンコードされたＡＣＫメッセージを前記基地局（１１０）に提供する（６０３）工程と、
前記ｋ個のダウンリンク・サブフレームに含まれる前記複数のトランスポート・ブロックのいずれかが正しく受信されていないとして推定された場合、前記ｋ個のサブフレームに関してエンコードされた１つのＮＡＫメッセージを前記基地局（１１０）に提供する工程とを有し、
４相シフトキーイング“ＱＰＳＫ”変調が、ｋ個のサブフレームに関して前記エンコードされたＡＣＫメッセージ各々又はＮＡＫメッセージの送信のために用いられ、
前記端末（１２０）は前記エンコードされたＮＡＫメッセージを変調するときに第１のコンステレーションポイントを用い、
前記端末（１２０）は、ｋ＝１或いは４であるとき、ｋ個のサブフレームに関して、前記エンコードされたＡＣＫメッセージを変調するときに第２のコンステレーションポイントを用い、
前記端末（１２０）は、ｋ＝２であるとき、ｋ個のサブフレームに関して、前記エンコードされたＡＣＫメッセージを変調するときに第３のコンステレーションポイントを用い、
前記端末（１２０）は、ｋ＝３であるとき、ｋ個のサブフレームに関して、前記エンコードされたＡＣＫメッセージを変調するときに第４のコンステレーションポイントを用い、
前記エンコードされたＡＣＫメッセージは、前記基地局からのダウンリンク割当てで検出されたサブフレームの数を有することを特徴とする方法。
【請求項２】
前記エンコードされたＮＡＫメッセージは、前記ＡＣＫメッセージを変調するのに用いられた前記コンステレーションポイントとは異なるコンステレーションポイントを用いて変調されることを特徴とする請求項１に記載の方法。
【請求項３】
前記基地局（１１０）から送信されたダウンリンク“ＤＬ”サブフレームのいずれかが喪失したかどうかを確証する（６０６）工程をさらに有することを特徴とする請求項１又は２に記載の方法。
【請求項４】
前記基地局（１１０）から送信されたＤＬサブフレームを喪失したことが確証された場合、前記基地局（１１０）に１つのエンコードされたＮＡＫメッセージを提供する（６０７）工程をさらに有し、
該エンコードされたＮＡＫメッセージは前記ＡＣＫメッセージを変調するために用いられた前記コンステレーションポイントとは異なるコンステレーションポイントに変調されることを特徴とする請求項３に記載の方法。
【請求項５】
前記基地局（１１０）から以前に割当てられた、そして、将来割当てられるＤＬサブフレームの数を表すダウンリンク割当インデックス“ＤＡＩ”を取得する（６０５）工程をさらに有し、
前記基地局（１１０）から送信されたダウンリンク“ＤＬ”サブフレームのいずれかが喪失したかどうかを確証する（６０６）工程は、前記基地局（１１０）からシグナリングされた前記ＤＡＩと受信したＤＬ割当ての数とを比較して、以前のＤＬサブフレームのいずれかが喪失したかどうかを判断する工程を有することを特徴とする請求項４に記載の方法。
【請求項６】
基地局（１１０）と端末（１２０）とを有する通信システムにおいて、前記端末（１２０）からの確認応答／否定応答の“ＡＣＫ”／“ＮＡＫ”メッセージを処理する前記基地局（１１０）における方法であって、前記方法は、
前記端末（１２０）に割当てられた複数のトランスポート・ブロックを有するダウンリンク・サブフレームの数を送信する（８０１）工程と、
ｋ個のダウンリンク・サブフレームに含まれる前記複数のトランスポート・ブロック各々が前記端末（１２０）により正しく受信されたとして推定される場合、前記ｋ個のサブフレームに関して、ｋが前記端末により検出されたダウンリンク・サブフレームの数である、１つのエンコードされたＡＣＫメッセージを前記端末（１２０）から受信する（８０２）工程と、
前記ｋ個のダウンリンク・サブフレームに含まれる前記複数のトランスポート・ブロックのいずれかが正しく受信されなかったとして前記端末（１２０）により推定される場合、前記ｋ個のサブフレームに関して１つのエンコードされたＮＡＫメッセージを前記端末（１２０）から受信する（８０３）工程とを有し、
４相シフトキーイング“ＱＰＳＫ”変調が、ｋ個のサブフレームに関して前記エンコードされたＡＣＫメッセージ各々又はＮＡＫメッセージの送信のために用いられ、
第１のコンステレーションポイントは、前記エンコードされたＮＡＫメッセージの変調のために用いられ、
第２のコンステレーションポイントは、ｋ＝１或いは４であるとき、ｋ個のサブフレームに関して、前記エンコードされたＡＣＫメッセージの変調のために用いられ、
第３のコンステレーションポイントは、ｋ＝２であるとき、ｋ個のサブフレームに関して、前記エンコードされたＡＣＫメッセージの変調のために用いられ、
第４のコンステレーションポイントは、ｋ＝３であるとき、ｋ個のサブフレームに関して、前記エンコードされたＡＣＫメッセージの変調のために用いられ、
前記エンコードされたＡＣＫメッセージは、前記端末がダウンリンク割当てで検出したサブフレームの数を含むことを特徴とする方法。
【請求項７】
前記受信したエンコードされたＮＡＫメッセージは、前記ＡＣＫメッセージを変調するのに用いられた前記コンステレーションポイントとは異なるコンステレーションポイントを用いて変調されることを特徴とする請求項６に記載の方法。
【請求項８】
前記基地局（１１０）から前記端末（１２０）へと送信された“ＤＬ”サブフレームが前記端末（１２０）で喪失したことが確証された場合、該エンコードされたＮＡＫメッセージは前記ＡＣＫメッセージを変調するために用いられた前記コンステレーションポイントとは異なるコンステレーションポイントへと変調される１つのエンコードされたＮＡＫメッセージを、前記端末（１２０）から受信する（８０５）工程をさらに有することを特徴とする請求項６又は７に記載の方法。
【請求項９】
以前に割当てられた、そして、将来割当てられるＤＬサブフレームの数を表すダウンリンク割当インデックス“ＤＡＩ”を前記端末（１２０）にシグナリングする（８０４）工程をさらに有し、
前記ＤＡＩは前記端末（１２０）により用いられ、前記基地局（１１０）からシグナリングされた前記ＤＡＩと受信したＤＬ割当ての数とを比較することにより、前記基地局（１１０）から送信された“ＤＬ”サブフレームのいずれかが喪失したかどうかを確証することを特徴とする請求項６乃至８のいずれか１項に記載の方法。
【請求項１０】
基地局（１１０）と端末（１２０）とを有する通信システムにおいて、前記基地局（１１０）に対して確認応答／否定応答の“ＡＣＫ”／“ＮＡＫ”メッセージを提供することが可能な前記端末であって、前記端末は、
前記基地局（１１０）からのダウンリンク割当てで検出されたダウンリンク・サブフレーム数ｋ個を計数し（６０１）、
前記ｋ個のダウンリンク・サブフレームに含まれる複数のトランスポート・ブロック各々が正しく受信されたかどうかを確証し（６０２）、
前記ｋ個のダウンリンク・サブフレームに含まれる前記複数のトランスポート・ブロック各々が正しく受信したとして推定される場合、前記ｋ個のサブフレームに関して、エンコードされたＡＣＫメッセージを前記基地局（１１０）に提供し（６０３）、
前記ｋ個のダウンリンク・サブフレームに含まれる前記複数のトランスポート・ブロックのいずれかが正しく受信されなかったとして推定される場合、前記ｋ個のダウンリンク・サブフレームに関して、１つのエンコードされたＮＡＫメッセージを前記基地局（１１０）に提供する（６０４）よう構成される手段を有し、
４相シフトキーイング“ＱＰＳＫ”変調が、ｋ個のサブフレームに関して前記エンコードされたＡＣＫメッセージ各々又はＮＡＫメッセージの送信のために用いられ、
前記端末（１２０）は前記エンコードされたＮＡＫメッセージを変調するときに第１のコンステレーションポイントを用いるように適合され、
前記端末（１２０）は、ｋ＝１或いは４であるとき、ｋ個のサブフレームに関して、前記エンコードされたＡＣＫメッセージを変調するときに第２のコンステレーションポイントを用いるように適合され、
前記端末（１２０）は、ｋ＝２であるとき、ｋ個のサブフレームに関して、前記エンコードされたＡＣＫメッセージを変調するときに第３のコンステレーションポイントを用いるように適合され、
前記端末（１２０）は、ｋ＝３であるとき、ｋ個のサブフレームに関して、前記エンコードされたＡＣＫメッセージを変調するときに第４のコンステレーションポイントを用いるように適合され、
前記エンコードされたＡＣＫメッセージは、前記基地局からのダウンリンク割当てで検出されたサブフレームの数を有することを特徴とする端末。
【請求項１１】
前記エンコードされたＮＡＫメッセージを、前記ＡＣＫメッセージを変調するのに用いられた前記コンステレーションポイントとは異なるコンステレーションポイントを用いて変調するように構成される手段をさらに有することを特徴とする請求項１０に記載の端末。
【請求項１２】
基地局（１１０）と端末（１２０）とを有する通信システムにおいて、前記端末（１２０）からの確認応答／否定応答の“ＡＣＫ”／“ＮＡＫ”メッセージを処理することが可能な前記基地局（１１０）であって、前記基地局は、
前記端末（１２０）に割当てられた複数のトランスポート・ブロックを含むダウンリンク・サブフレームの数を送信し（８０１）、
ｋ個のダウンリンク・サブフレームに含まれる複数のトランスポート・ブロック各々が前記端末（１２０）により正しく受信されたとして推定される場合、前記ｋ個のサブフレームに関して、ｋが前記端末（１２０）により検出されたサブフレームの数である、１つのエンコードされたＡＣＫメッセージを前記端末（１２０）から受信し（８０２）、
前記ｋ個のダウンリンク・サブフレームに含まれる前記複数のトランスポート・ブロックのいずれかが正しく受信されなかったとして前記端末（１２０）により推定される場合、前記ｋ個のサブフレームに関して１つのエンコードされたＮＡＫメッセージを前記端末（１２０）から受信する（８０３）よう構成されている手段を有し、
４相シフトキーイング“ＱＰＳＫ”変調が、ｋ個のサブフレームに関して前記エンコードされたＡＣＫメッセージ各々又はＮＡＫメッセージの送信のために用いられ、
第１のコンステレーションポイントは、前記エンコードされたＮＡＫメッセージにおける変調のために用いられるように適合され、
第２のコンステレーションポイントは、ｋ＝１或いは４であるとき、ｋ個のサブフレームに関して、前記エンコードされたＡＣＫメッセージにおける変調のために用いられるように適合され、
第３のコンステレーションポイントは、ｋ＝２であるとき、ｋ個のサブフレームに関して、前記エンコードされたＡＣＫメッセージにおける変調のために用いられるように適合され、
第４のコンステレーションポイントは、ｋ＝３であるとき、ｋ個のサブフレームに関して、前記エンコードされたＡＣＫメッセージにおける変調のために用いられるように適合され、
前記エンコードされたＡＣＫメッセージは、前記端末がダウンリンク割当てで検出したサブフレームの数を含むことを特徴とする基地局。
【請求項１３】
前記ＡＣＫメッセージを変調するのに用いられた前記コンステレーションポイントとは異なるコンステレーションポイントを用いて変調されたエンコードされたＮＡＫメッセージを受信するように構成される手段をさらに有することを特徴とする請求項１２に記載の基地局。
【発明の詳細な説明】
【技術分野】
【０００１】
本発明は基地局における方法と装置、および移動体端末における方法と装置に関する。特に、端末が基地局に提供する“ＡＣＫ”／“ＮＡＫ”メッセージの処理に関するものである。
【背景技術】
【０００２】
３ＧＰＰで現在標準化されているロング・ターム・エボリューション（ＬＴＥ）の鍵となる要求条件は周波数柔軟性であり、この目的のため、周波数分割複信（ＦＤＤ）と時分割複信（ＴＤＤ）の両方のように、１．４ＭＨｚと２０ＭＨｚとの間の搬送波帯域幅がサポートされており、その結果、ペアとなるスペクトラムとペアとはならないスペクトラムの両方を使用することができる。ＦＤＤでは、ダウンリンク（ＤＬ）、即ち、基地局から移動体端末へのリンク、およびアップリンク（ＵＬ）即ち、移動体端末から基地局へのリンクは異なる周波数を使用し、従って同時に送信できる。ＴＤＤでは、アップリンクとダウンリンクは同じ周波数を使用し、同時に送信できない。しかしながら、アップリンクとダウンリンクは柔軟な方法で時間を共有し、無線フレームのサブフレーム数のように異なる時間量をアップリンクとダウンリンクに配分することにより、アップリンクとダウンリンクで非対称なトラフィックとリソース要求に適応することが可能である。
【０００３】
また、上記の非対称性は、ＦＤＤとＴＤＤとの間に重大な差異をもたらす。ＦＤＤでは、無線フレームの間で同じ数のアップリンクとダウンリンク・サブフレームを利用可能であるが、ＴＤＤでは、アップリンクとダウンリンクのサブフレーム数は異なってもよい。このことの多くの結果の一つは、ＦＤＤでは、ある一定の処理遅延の影響を受けるＵＬサブフレームのリソースのＤＬ割当に応答して、移動体端末は常にフィードバック送信をすることができるということである。言い換えれば、この関連は一対一、即ち、各ＵＬサブフレームを厳密に一つのＤＬサブフレームに関連させるというように、フィードバック生成のため、ＤＬサブフレーム毎に後の特定のＵＬサブフレームを関連させることができる。しかしながら、ＴＤＤでは、無線フレームの間のＵＬとＤＬサブフレーム数は異なる可能性があるから、一般的には、そのような一対一の関連を構築することは可能ではない。ＵＬサブフレームより多くのＤＬサブフレームを有する典型的な場合では、むしろ、各々のＵＬサブフレームで幾つかのＤＬサブフレームからのフィードバックを送信する必要があるということである。
【０００４】
ＬＴＥでは、１０ｍｓ継続時間の無線フレームを、各々が長さ１ｍｓの１０個のサブフレームに分割する。ＴＤＤの場合では、一つのサブフレームをアップリンクまたはダウンリンクに割当てることができる、即ち、アップリンクとダウンリンクの送信が同じ時間で起こることができない。更に、各１０ｍｓ無線フレームを、各半フレームが５個のサブフレームから成る、５ｍｓ継続時間の２個の半フレームに分割する。
【０００５】
無線フレームの第１のサブフレームをＤＬ送信に常に配分する。第２のサブフレームは特別なサブフレームであり、１ｍｓの合計継続時間を有するＤｗＰＴＳ、ＧＰおよびＵｐＰＴＳの三つの特別なフィールドに分割する。サウンディング基準信号のアップリンク送信にＵｐＰＴＳを使用し、もしそのように構成するなら、ＵｐＰＴＳはより短いランダムアクセス・プリアンブルの受信に使用される。ＵｐＰＴＳでは、データまたは制御シグナリングを送信することが全くできない。ＧＰは、ＤＬとＵＬサブフレーム期間の間のガード期間を生成するために使用され、ＵＬとＤＬとの間の干渉を回避するために異なる長さを持つよう構成されてもよく、典型的にはサポートするセル半径に基づいて選択される。ＤｗＰＴＳフィールドは、より短い継続時間を持つという違いがあるが、任意の他のＤＬサブフレームのように、ダウンリンク送信に使用される。
【０００６】
第１と第２の半フレームが同一の構造を持つ５ｍｓの周期性を有する配分と、半フレームを異なるように編成する１０ｍｓ周期性を有する配分の両方のように、残りのサブフレームをＵＬとＤＬに異なって配分することがサポートされる。ある構成では、第２の半フレーム全部をＤＬ送信に割当てる。
【０００７】
ＬＴＥのＤＬでは、１５ｋＨｚの副搬送波間隔を有する直交周波数分割多重（ＯＦＤＭ）を使用する。周波数領域では、副搬送波をリソースブロックにグループ化し、各々は１２個の連続する副搬送波を含む。リソースブロック数はシステム帯域幅に依存し、最少帯域幅は６個のリソースブロックに対応する。構成したサイクリック・プレフィックス長に依存して、１ｍｓサブフレームには時間内に１２個か１４個のどちらかのＯＦＤＭシンボルを含む。また、リソースブロックという用語は、副搬送波のリソースブロック倍の、サブフレーム内の全ＯＦＤＭシンボルという二次元構造に言及するために使用される。特別なサブフレームのＤｗＰＴＳダウンリンク部分は可変継続時間を持ち、通常のサイクリック・プレフィックスを有する場合では３、９、１０、１１または１２のＯＦＤＭシンボルの長さ、および拡張サイクリック・プレフィックスを有する場合では３、８、９または１０シンボルの長さを仮定することができる。
【０００８】
ＤＬおよびＵＬの両方の方向における送信の性能を改善するため、ＬＴＥはハイブリッドＡＲＱ（ＨＡＲＱ）を使用する。ＨＡＲＱの基本的考えは、ＤＬサブフレームでデータを受信した後、端末はそれをデコードを試み、次にそのデコードが成功したか（ＡＣＫ：肯定応答（確認応答））、そうでないか（ＮＡＫ、否定応答）を基地局に報告するという点にある。不成功のデコード試行の場合は、基地局は後のＵＬサブフレームでＮＡＫを受信し、間違って受信したデータを再送信できる。
【０００９】
ダウンリンク送信は動的にスケジュールしてもよく、即ち、各サブフレームで基地局は、データを受信すべきはどの端末かと、現行のＤＬサブフレームのどのリソースかを示す制御情報を送信する。ここでは、リソースにより、リソースブロックの幾つかの集合を意味する。各サブフレームの第１の１、２または３のＯＦＤＭシンボルで制御信号を送信する。（システム帯域幅≦１０では、各サブフレームの第１の２、３または４のＯＦＤＭシンボルでそれを送信する）。しばしば、単一のＤＬサブフレームで端末に送られたデータをトランスポートブロックという。
【００１０】
それ故、端末は制御チャネルを聴取するであろうが、もしそれ自身にアドレスしたＤＬ割当を検出するなら、その端末はデータをデコードすることを試みるであろう。また、データを正しくデコードされたかどうかに依存してＡＣＫまたはＮＡＫの形式で、送信に応答してフィードバックを生成するであろう。更に、基地局がその割当を送信した制御チャネルリソースから、この端末は、ＡＣＫ／ＮＡＫをＰＵＣＣＨで送信した場合、対応する物理上り制御チャネル（ＰＵＣＣＨ）リソースを決定できる。また、ネットワークによりＰＵＣＣＨリソースが構成設定されてもよく、それは、ＡＣＫ／ＮＡＫフィードバックを提供すべき時と同時にチャネル品質報告またはスケジューリング要求が送信される場合である。
【００１１】
ＬＴＥ−ＦＤＤでは、端末は、サブフレームｎで検出したＤＬ割当に応答して、アップリンク・サブフレームｎ＋４でＡＣＫ／ＮＡＫ報告を送るであろう。いわゆる多入力多出力（ＭＩＭＯ）マルチレイア送信が備えられる場合は、単一のＤＬサブフレームで２個のトランスポート・ブロックを送信し、端末は対応するアップリンク・サブフレームで二つのＡＣＫ／ＮＡＫ報告で応答するであろう。
【００１２】
スケジューラは、その端末へのリソースの割当を処理し、リソースを効率的に使用するため、また一方で遅延および速度要求条件に合致するよう、トラフィックおよび無線条件を考慮する。サブフレーム対サブフレームを基本に、スケジューリングおよび制御シグナリングを行ってもよい。即ち、各ダウンリンク・サブフレームは他のものとは独立にスケジュールされる。
【００１３】
上述のように、端末がＤＬサブフレームで基地局からデータを受信する第１のステップは、ＤＬサブフレームの制御フィールドにおけるＤＬ割当を検出することである。基地局がそのような割当を送信するが、端末がそれをデコードすることに失敗した場合、その端末は明らかにそれがスケジュールされたことを知らず、それ故、アップリンクでＡＣＫ／ＮＡＫで応答をしないであろう。この状況は喪失したＤＬ割当として言及される。もし基地局がＡＣＫ／ＮＡＫの欠落を検出できるなら、後続の再送信でこのことを考慮することができる。通常、基地局は喪失パケットを少なくとも再送信すべきであるが、その他の幾つかの送信パラメータを調整する可能性もある。
【００１４】
上記で議論したように、ＵＬとＤＬサブフレームとの間では１対１の関係はない。それ故、端末はＵＬサブフレームｎ＋４におけるサブフレームｎでのＤＬ割当に応答して常にＡＣＫ／ＮＡＫを送信することができないが、それは、ＵＬ送信にこのサブフレームを配分しない可能性があるからである。それ故、各ＤＬサブフレームは、最小処理遅延の影響を受けるあるＵＬサブフレームと関連付けされても良く、それは、サブフレームｎのＤＬ割当に応答するＡＣＫ／ＮＡＫを、ｋ＞３であるサブフレームｎ＋ｋで報告するということを意味する。更に、もしＤＬサブフレーム数がＵＬサブフレーム数より大きいなら、複数のＤＬサブフレームの割当に応答するＡＣＫ／ＮＡＫは、単一のＵＬサブフレームで送信される必要があるかもしれない。あのＵＬサブフレームについて、関連するＤＬサブフレーム数は、ＵＬとＤＬへのサブフレームの配分に依存し、無線フレーム内の異なるＵＬサブフレームで異なってもよい。
【００１５】
複数のＤＬサブフレームにわたって独立にＤＬ割当を与えることができるため、単一のＵＬサブフレームで全て確認応答される複数のＤＬサブフレームにおいて、端末にＤＬ送信を割当ててもよい。従って、幾つかの方法で、アップリンク制御シグナリングは、端末からの複数のＤＬ送信からのＡＣＫ／ＮＡＫのフィードバックをあるＵＬサブフレームにおいてサポートする必要がある。
【００１６】
上記の問題を取り扱う一つの明らかな方法は、単一のＵＬサブフレームで（各ＤＬ送信のための）複数の個別的なＡＣＫ／ＮＡＫビットを送信することを端末が可能にすることである。しかしながら、そのようなプロトコルは、１つ以上のＡＣＫ／ＮＡＫ報告の送信より劣悪なカバレッジを持つ。加えて、単一の端末から送信することを許容するＡＣＫ／ＮＡＫが多くなればなるほど、より多くの制御チャネル・リソースをアップリンクで予約する必要がある。制御シグナリングのカバレッジと容量を改善するため、ＡＣＫ／ＮＡＫの幾つかの形式の圧縮を行なう、或いは、バンドルを行うことが合意された。このことは、あるＵＬサブフレームで送信されるべき全てのＡＣＫ／ＮＡＫを、例えば、単一のＡＣＫ／ＮＡＫ報告のような、より少ないビット数に合成することを意味する。例として、もし全てのＤＬサブフレームのトランスポート・ブロックが正しく受信され、それ故、確認応答すべき場合に限り、端末はＡＣＫを送信できる。少なくとも一つのＤＬサブフレームにＮＡＫを送信すべきということ意味する他の全ての場合では、全てのＤＬサブフレームのために合成されたＮＡＫが送信される。
【００１７】
それ故に、上述のように、ＴＤＤの各ＵＬサブフレームに、ＦＤＤにおけるような単一のサブフレームよりむしろ、複数のＤＬサブフレームのセットが関係付けられ、そのＤＬ送信に対して、あるＵＬサブフレームでＡＣＫ／ＮＡＫ応答を与えられることになる。バンドル化と関連して、このセットはしばしばバンドル・ウインドウとして言及される。その結果、二つの基本的扱い方には以下のことを含む。
【００１８】
・複数のＡＣＫ／ＮＡＫの多重化。これは、複数のサブフレームの複数の個別的なＡＣＫ／ＮＡＫ報告がフィードバックされることを意味する。ＭＩＭＯではなく、図２ｂで表現するように、３個のＤＬサブフレーム（ＤｗＰＴＳを含む）と２個のＵＬサブフレームを有する構成の場合に関して、サブフレーム＃２と＃７で最大２ビットのＡＣＫ／ＮＡＫフィードバックがフィードバックされ、サブフレーム３と８で最大１ビットのそれをフィードバックする。一般的な場合、ＡＣＫ／ＮＡＫ／ＤＴＸがフィードバックされる第３の状態があるかもしれない。その時、ＤＴＸは、対応するＤＬサブフレームにある間、端末がどの割当も全く受信／検出しないということを表わす。
【００１９】
・複数のＡＣＫ／ＮＡＫのバンドル化。これは、単一のＡＣＫ／ＮＡＫを個別のＡＣＫ／ＮＡＫから生成するということと、この単一のＡＣＫ／ＮＡＫがフィードバックされることを意味する。ＭＩＭＯでない場合、端末は、複数のＤＬサブフレームのＡＣＫ／ＮＡＫを合成して、単一のＡＣＫ／ＮＡＫが生成され、全てのＵＬサブフレームにおいてフィードバックされるようにする。
【００２０】
ＡＣＫ／ＮＡＫバンドル化と多重化とが有する基本的問題とは、端末がバンドルされた（束ねられた）応答で表示されない可能性のあるＤＬ割当を喪失するかもしれないという点である。例えば、２個の連続するＤＬサブフレームで端末をスケジュールしたと仮定する。第１のサブフレームで、端末はスケジューリング割当を喪失し、それがスケジュールされたことに気付かないだろうが、第２のサブフレームでは、データをうまく受信する。結果として、端末は、基地局が両方のサブフレームに対するホールドを仮定するＡＣＫを送信するであろうが、これは端末が気付かなかった第１のサブフレームのデータを含むのである。結果として、データは喪失する。喪失したデータはより上位のレイアプロトコルにより処理される必要があり、これは通常、ハイブリッドＡＲＱ再送信より長い時間を要し、効率的でない。実際、ＵＬサブフレームに関連するバンドル化／多重化ウインドウの間に送信された全てのＤＬ割当を喪失した場合に限り、端末はあるＵＬサブフレームでどんなＡＣＫ／ＮＡＫも送信しないであろう。
【発明の概要】
【００２１】
従って、喪失したＤＬ割当の検出を改善するために、ネットワークユニットにおける方法及びその方法を実行するよう適合した装置とを提供することが本発明の目的である。
【００２２】
本発明を第１の側面から見れば、この目的は基地局と端末とを有する通信システムにおいて基地局にＡＣＫ（肯定応答）／ＮＡＫ（否定応答）メッセージを提供する端末における方法により達成される。その方法は、前記基地局からのダウンリンク割当てで検出されたダウンリンク・サブフレーム数ｋ個を計数する工程と、前記ｋ個のダウンリンク・サブフレームに含まれる複数のトランスポート・ブロック各々が正しく受信されたかどうかを確証する工程と、前記ｋ個のダウンリンク・サブフレームに含まれる複数のトランスポート・ブロック各々が正しく受信されたとして推定された場合、前記ｋ個のサブフレームに関するエンコードされたＡＣＫメッセージを前記基地局に提供する工程と、前記ｋ個のダウンリンク・サブフレームに含まれる前記複数のトランスポート・ブロックのいずれかが正しく受信されていないとして推定された場合、前記ｋ個のサブフレームに関してエンコードされた１つのＮＡＫメッセージを前記基地局に提供する工程とを有し、４相シフトキーイング“ＱＰＳＫ”変調が、ｋ個のサブフレームに関して前記エンコードされたＡＣＫメッセージ各々又はＮＡＫメッセージの送信のために用いられ、前記端末は前記エンコードされたＮＡＫメッセージを変調するときに第１のコンステレーションポイントを用い、前記端末は、ｋ＝１或いは４であるとき、ｋ個のサブフレームに関して、前記エンコードされたＡＣＫメッセージを変調するときに第２のコンステレーションポイントを用い、前記端末は、ｋ＝２であるとき、ｋ個のサブフレームに関して、前記エンコードされたＡＣＫメッセージを変調するときに第３のコンステレーションポイントを用い、前記端末は、ｋ＝３であるとき、ｋ個のサブフレームに関して、前記エンコードされたＡＣＫメッセージを変調するときに第４のコンステレーションポイントを用い、前記エンコードされたＡＣＫメッセージは、前記基地局からのダウンリンク割当てで検出されたサブフレームの数を有することを特徴とする。
【００２５】
本発明を第２の側面から見れば、本発明の目的は、基地局と端末とを有する通信システムにおいて、端末からのＡＣＫ（肯定応答）／ＮＡＫ（否定応答）メッセージを処理する基地局における方法により達成される。その方法は、前記端末に割当てられた複数のトランスポート・ブロックを有するダウンリンク・サブフレームの数を送信する工程と、ｋ個のダウンリンク・サブフレームに含まれる前記複数のトランスポート・ブロック各々が前記端末により正しく受信されたとして推定される場合、前記ｋ個のサブフレームに関して、ｋが前記端末により検出されたダウンリンク・サブフレームの数である、１つのエンコードされたＡＣＫメッセージを前記端末から受信する工程と、前記ｋ個のダウンリンク・サブフレームに含まれる前記複数のトランスポート・ブロックのいずれかが正しく受信されなかったとして前記端末により推定される場合、前記ｋ個のサブフレームに関して１つのエンコードされたＮＡＫメッセージを前記端末から受信する工程とを有し、４相シフトキーイング“ＱＰＳＫ”変調が、ｋ個のサブフレームに関して前記エンコードされたＡＣＫメッセージ各々又はＮＡＫメッセージの送信のために用いられ、第１のコンステレーションポイントは、前記エンコードされたＮＡＫメッセージの変調のために用いられ、第２のコンステレーションポイントは、ｋ＝１或いは４であるとき、ｋ個のサブフレームに関して、前記エンコードされたＡＣＫメッセージの変調のために用いられ、第３のコンステレーションポイントは、ｋ＝２であるとき、ｋ個のサブフレームに関して、前記エンコードされたＡＣＫメッセージの変調のために用いられ、第４のコンステレーションポイントは、ｋ＝３であるとき、ｋ個のサブフレームに関して、前記エンコードされたＡＣＫメッセージの変調のために用いられ、前記エンコードされたＡＣＫメッセージは、前記端末がダウンリンク割当てで検出したサブフレームの数を含むことを特徴とする。
【００２８】
本発明を第３の側面から見れば、本発明の目的は、基地局と端末とを有する通信システムにおいて基地局にＡＣＫ（肯定応答）／ＮＡＫ（否定応答）メッセージを提供することが可能な端末により達成される。その端末は、前記基地局からのダウンリンク割当てで検出されたダウンリンク・サブフレーム数ｋ個を計数し、前記ｋ個のダウンリンク・サブフレームに含まれる複数のトランスポート・ブロック各々が正しく受信されたかどうかを確証し、前記ｋ個のダウンリンク・サブフレームに含まれる前記複数のトランスポート・ブロック各々が正しく受信したとして推定される場合、前記ｋ個のサブフレームに関して、エンコードされたＡＣＫメッセージを前記基地局に提供し、前記ｋ個のダウンリンク・サブフレームに含まれる前記複数のトランスポート・ブロックのいずれかが正しく受信されなかったとして推定される場合、前記ｋ個のダウンリンク・サブフレームに関して、１つのエンコードされたＮＡＫメッセージを前記基地局に提供するよう構成される手段を有し、４相シフトキーイング“ＱＰＳＫ”変調が、ｋ個のサブフレームに関して前記エンコードされたＡＣＫメッセージ各々又はＮＡＫメッセージの送信のために用いられ、前記端末は前記エンコードされたＮＡＫメッセージを変調するときに第１のコンステレーションポイントを用いるように適合され、前記端末は、ｋ＝１或いは４であるとき、ｋ個のサブフレームに関して、前記エンコードされたＡＣＫメッセージを変調するときに第２のコンステレーションポイントを用いるように適合され、前記端末は、ｋ＝２であるとき、ｋ個のサブフレームに関して、前記エンコードされたＡＣＫメッセージを変調するときに第３のコンステレーションポイントを用いるように適合され、前記端末は、ｋ＝３であるとき、ｋ個のサブフレームに関して、前記エンコードされたＡＣＫメッセージを変調するときに第４のコンステレーションポイントを用いるように適合され、前記エンコードされたＡＣＫメッセージは、前記基地局からのダウンリンク割当てで検出されたサブフレームの数を有することを特徴とする。
【００２９】
本発明を第４の側面から見れば、本発明の目的は、基地局と端末とを有する通信システムにおいて端末からのＡＣＫ（肯定応答）／ＮＡＫ（否定応答）メッセージを処理することが可能な基地局により達成される。その基地局は、前記端末に割当てられた複数のトランスポート・ブロックを含むダウンリンク・サブフレームの数を送信し、ｋ個のダウンリンク・サブフレームに含まれる複数のトランスポート・ブロック各々が前記端末により正しく受信されたとして推定される場合、前記ｋ個のサブフレームに関して、ｋが前記端末により検出されたサブフレームの数である、１つのエンコードされたＡＣＫメッセージを前記端末から受信し、前記ｋ個のダウンリンク・サブフレームに含まれる前記複数のトランスポート・ブロックのいずれかが正しく受信されなかったとして前記端末により推定される場合、前記ｋ個のサブフレームに関して１つのエンコードされたＮＡＫメッセージを前記端末から受信するよう構成されている手段を有し、４相シフトキーイング“ＱＰＳＫ”変調が、ｋ個のサブフレームに関して前記エンコードされたＡＣＫメッセージ各々又はＮＡＫメッセージの送信のために用いられ、第１のコンステレーションポイントは、前記エンコードされたＮＡＫメッセージにおける変調のために用いられるように適合され、第２のコンステレーションポイントは、ｋ＝１或いは４であるとき、ｋ個のサブフレームに関して、前記エンコードされたＡＣＫメッセージにおける変調のために用いられるように適合され、第３のコンステレーションポイントは、ｋ＝２であるとき、ｋ個のサブフレームに関して、前記エンコードされたＡＣＫメッセージにおける変調のために用いられるように適合され、第４のコンステレーションポイントは、ｋ＝３であるとき、ｋ個のサブフレームに関して、前記エンコードされたＡＣＫメッセージにおける変調のために用いられるように適合され、前記エンコードされたＡＣＫメッセージは、前記端末がダウンリンク割当てで検出したサブフレームの数を含むことを特徴とする。
【００３０】
ＡＣＫが送信される場合、受信したダウンリンク・サブフレームの数が送信されるが、ＮＡＫを送信する場合はそうではないので、基地局は、より上位のレイア再送信等による追加的な遅延の原因となる、喪失した割当をＡＣＫと解釈する場合の確率を、回避または減少させることができる。ＮＡＫが送信される場合、基地局は少なくとも一つのサブフレームが正しく受信されかったと通常はその時仮定するので、その基地局は喪失した割当を正しく受信されたとして解釈することができない。更に、受信サブフレームの数を常にフィードバックすることに比較して、より少ない数の異なるメッセージが可能であり、それ故に、より低いアップリンク・シグナリングしか必要としないので、アップリンク性能は改善される。次いでこのことは、シグナリングが削減され、喪失したダウンリンク割当の検出が改善されることを意味する。
【００３１】
本発明の代表的な実施例を図示する以下の添付図面を参照して、本発明について更に詳細に説明する。
【図面の簡単な説明】
【００３２】
【図１】無線通信システムの実施例の概略を示すブロック図である。
【図２ａ】、
【図２ｂ】二つの異なるＵＬ：ＤＬ配分のために、各ダウンリンク・サブフレームとアップリンク・サブフレームとの関連の実施例を概略的に示すブロック図である。
【図３ａ】、
【図３ｂ】、
【図３ｃ】本発明の実施例を概略的に示す図である。
【図４ａ】、
【図４ｂ】、
【図４ｃ】本発明の実施例を概略的に示す図である。
【図５】１６ＱＡＭコンステレーションの実施例を概略的に示すブロック図である。
【図６】移動体端末における方法の実施例を示すフローチャートである。
【図７】移動体端末の構成の実施例を概略的に示すブロック図である。
【図８】基地局における方法の実施例を示すフローチャートである。
【図９】基地局の構成の実施例を概略的に示すブロック図である。
【発明を実施するための形態】
【００３３】
本発明は、１つ以上の割当を喪失したかどうかをｅＮｏｄｅＢのような基地局が決定できる情報を基地局に提供するための、端末における方法及びその方法を実行するよう適応した装置に関する。また、本発明は、１つ以上の割当を喪失したかどうかをｅＮｏｄｅＢのような基地局が決定できる情報を端末から受信するための基地局における方法及びその方法を実行するよう適応した装置に関する。この方法と装置とは、以下に説明する実施例で実現されるとよい。
【００３４】
課題は、ＡＣＫ／ＮＡＫのバンドル化を使用する場合、端末が割当を喪失してしまい、それ故、バンドル化したＮＡＫを報告し“忘れて”しまったかどうかを決定することである。もし、端末がＮＡＫを報告すれば、問題は何もないが、もし端末がＡＣＫを報告する場合、サブフレームを正しく受信していないので端末は理想的にはＮＡＫを報告すべきであるから問題が生じる（実際、端末は割当を喪失し、そしてデータをデコードしようとさえしなかった）。基地局は割当てたサブフレーム数ｋ’を記録し、そして、基地局は復調して、端末がＮＡＫまたはＭ−１個（Ｍ個のコンステレーションポイントがあると仮定して）のＡＣＫメッセージのどれかについて報告したかどうかを推定する。Ｍ−１個のＡＣＫメッセージのうちの一つ、例えば、ＡＣＫｋを受信する場合、ｋと割当てたサブフレーム数ｋ’とを比較し、端末がどれかのダウンリンク割当を喪失したかどうか、この方法で検出できる。
【００３５】
図１は、例えば、Ｅ−ＵＴＲＡＮ、ＬＴＥ、ＬＴＥ−Ａｄｖ、第３世代パートナーシップ・プロジェクト（３ＧＰＰ）ＷＣＤＭＡ（登録商標）システム、汎欧州ディジタル移動電話方式／ＧＳＭ（登録商標）発展用強化データ・レート（ＧＳＭ（登録商標）／ＥＤＧＥ）、広帯域符号分割多重接続（ＷＣＤＭＡ（登録商標））、高速ワイヤレスインターネット（ＷｉＭａｘ）またはウルトラ・モバイル・ブロードバンド（ＵＭＢ）のような無線通信システム１００を描写している。通信システム１００はＴＤＤまたはＦＤＤを使用してもよく、基地局１１０と、無線チャネル１３０を介して互いに通信するよう適応した端末１２０とを備える。基地局１１０はノードＢ、ｅＮｏｄｅＢまたは、ＴＤＤまたはＦＤＤ無線チャネルであってもよい一つの無線チャネルを介して端末と通信可能なその他の任意のネットワークユニットであってもよい。端末１２０は、移動電話機、携帯情報端末（ＰＤＡ）、ユーザ機器（ＵＥ）または、無線チャネルを介して基地局と通信可能なその他の任意のネットワークユニットであってもよい。
【００３６】
基地局１１０は、無線チャネル１３０を介してデータパケットを送信するため、少なくともあるアップリンク・サブフレームのために、ＨＡＲＱとＡＣＫ／ＮＡＫバンドルを使用する。無線チャネル１３０を介して、サブフレーム内のトランスポート・ブロックでデータパケットを転送する。この目的のために、基地局は移動体端末１２０に送信すべき複数のサブフレームをスケジュールする。もし、移動体端末１２０からＮＡＫメッセージを受信したなら、基地局１１０は、移動体端末１２０が正常受信の確認応答を完了するまで、またはその期間は事前に決定した期間であってもよいが、期間が満了するまで、非確認応答のサブフレームを再送信する。
【００３７】
所与のアップリンク・サブフレームに対して、基地局１１０から端末１２０に送信する、Ｋで示す複数のダウンリンク・サブフレームが関連付けられる。幾つかの実施例では、ＤＬ制御チャネルは、あるＵＬ制御チャネル・リソースと関連するＤＬサブフレーム各々でＤＬ割当を搬送する。代表的な場合には、最大Ｋ個のサブフレームからのＡＣＫ／ＮＡＫを一つのＵＬ単一サブフレームにバンドルする、即ち、バンドル・ウインドウにはｋ個のＤＬサブフレームを備える。ＤＬサブフレームは１からＫまで数を付けてもよい。このサブフレーム集合内で、ｅＮｏｄｅＢは所与の端末にダウンリンク送信を割当てることができる。割当てたサブフレーム数ｋ’は０とＫの間の値をとることができる。
【００３８】
２つの例が図２に図示されている。この例では、関係するＤＬサブフレーム数Ｋは、異なるサブフレームに対しても、異なる非対称性に対しても異なっている。図２ａでは、４ＤＬ：１ＵＬ構成のシナリオが描写されている。このシナリオでは、各半フレームの第１の（そして唯一の）ＵＬサブフレームを４個のＤＬサブフレーム、即ち、Ｋ＝４に関係させている。
【００３９】
図２ｂでは、３ＤＬ：２ＵＬ構成のシナリオが描写されている。このシナリオでは、各半フレームの第１のＵＬサブフレームを２個のＤＬサブフレーム、即ち、Ｋ＝２に関係させており、一方第２のＵＬサブフレームを単一のＤＬサブフレーム、即ち、Ｋ＝１と関係させる。
【００４０】
上述のように、基地局１１０は端末にｋ’個のサブフレームでデータを送信する。端末１２０は、受信側で各ＤＬサブフレームのＤＬ割当を検出しデコードしようと試みるであろう。このことにより、端末１２０が、ｋで示すバンドル・ウインドウの間、検出したＤＬ割当の数を記録し続けることが可能となる。幾つかの実施例では、端末１２０には計数器を備える。ＤＬ割当を受信するＤＬサブフレームの各々のために、端末１２０は、それが何個のＤＬ割当の受信を完了したかを計数する計数器のカウントを増加させてもよい。
【００４１】
端末１２０は、それがＤＬ割当の検出を完了したＤＬサブフレームのトランスポート・ブロックをデコードし、巡回冗長検査（ＣＲＣ）により、トランスポート・ブロックを正しく受信しているかどうかを推定しようと更に試みるであろう。ここで、端末１２０は、成功裏に受信したトランスポート・ブロックが幾つあるかを知る。また、ＤＬ割当を検出するためにＣＲＣを使用してもよい。
【００４２】
幾つかの実施例では、各ＤＬサブフレームのダウンリンク割当の一部として、ダウンリンク割当インデックス（ＤＡＩ）を基地局１１０から端末１２０にシグナリングする。ＤＡＩは、バンドル・ウインドウ内で、前に割当てたＤＬサブフレーム数と将来割当てる最小のＤＬサブフレーム数との内、少なくともいずれかを表わす。もしそのようにシグナリングしたなら、端末１２０は、少なくとも前のＤＬサブフレームのいずれかを喪失したかどうかを判断するため、受信したＤＬ割当数の計数器と基地局１１０からシグナリングしたＤＡＩとを更に比較してもよい。
【００４３】
ｋ個の検出したダウンリンク・サブフレーム内で、デコードされた複数のトランスポート・ブロックの中の各々が正しく受信される場合、ｋ個のサブフレームに関して、合成またはバンドル化したエンコードのＡＣＫメッセージを、端末１２０から基地局１１０に提供する。また、エンコードされたＡＣＫメッセージには、確認応答したサブフレーム数ｋを含む。例えば、４個の異なるサブフレームの場合、数値４と一緒に一つの合成したＡＣＫとして全てがＡＣＫであることが表現され、このＡＣＫが４個のサブフレームに関して正当であるということを示す。バンドル化したＡＣＫを送信する場合、受信サブフレーム数により、使用されるコンステレーションポイントが決定されるように位相シフトキーイング（ＰＳＫ）を使用して、エンコードしたＡＣＫメッセージを送信することができる。
【００４４】
例えば、端末１２０が、ＤＡＩを用いて、ダウンリンク割当を喪失したことを検出する場合、または、検出されたｋ個のサブフレームのいずれかにおいて、トランスポート・ブロックをデコードすることに失敗した場合、基地局１１０にＮＡＫメッセージが提供される。なお、受信サブフレーム数と独立に基地局に同じメッセージが提供される。任意のｋについて前記ＡＣＫメッセージを変調するために使用したとおもわれるＰＳＫコンステレーションポイントとは異なるコンステレーションポイントを使用するというようにＰＳＫを使用して、このＮＡＫメッセージを変調するとよい。
【００４５】
基地局１１０は、ｋ個のサブフレームのＮＡＫまたはＡＣＫのどちらかであり得る送信メッセージを受信するが、ここでｋは１とＫとの間の値をとることができる。ＮＡＫを受信した場合は、基地局１１０は、ｋ’個の送信サブフレームのうちの少なくとも一つが正しく受信されなかったということを知る。従って、基地局１１０は、それに応じてｋ’個のサブフレームを再送信するであろう。基地局１１０がｋ個のサブフレームのＡＣＫを受信した場合、基地局１１０は、これと割当てたサブフレーム数ｋ’とを比較でき、もし受信メッセージが送信サブフレームの数と一致しないなら、基地局１１０は、少なくとも一つの割当を完全に喪失したということを検出でき、対応するサブフレームを再送信することができる。
【００４６】
幾つかの実施例では、そして端末１２０が、全てのＤＬ割当を喪失してしまったということを知る場合、端末１２０はこの場合にＮＡＫで応答してもよい。幾つかの実施例では、端末１２０は、応答を与えないということを意味する不連続送信（ＤＴＸ）で応答することを選択してもよい。
【００４７】
幾つかの実施例によれば、端末１２０は、以下のことを表わす（Ｋ＋１）個のメッセージのうちの少なくとも一つで基地局１１０に応答する。即ち、
−ＮＡＫ（少なくとも一つのＤＬ割当が検出され、かつ、トランスポート・ブロックのうちの少なくとも一つのデコードが失敗した場合。また、割当が全く検出されなかったが、端末が依然としてＡＣＫ／ＮＡＫを、例えば、スケジューリング要求またはチャネル品質指標（ＣＱＩ）報告と一緒に、送信する必要があるという場合にもＮＡＫが生成されてもよい。更にまた、端末１２０が、例えば、ＤＡＩの使用のため、少なくとも一つの割当を喪失してしまったということを知る場合、ＮＡＫを生成してもよい）と、
−ＡＣＫ  １（１個のＤＬ割当が検出され、かつ、トランスポート・ブロックがデコードとＣＲＣを通過させた場合）と、
−ＡＣＫ  ２（２個のＤＬ割当が検出され、かつ、トランスポート・ブロックがデコードとＣＲＣを通過させた場合）と、
−最大、ＡＣＫ  Ｋ（Ｋ個のＤＬ割当が検出され、かつ、トランスポート・ブロックがデコードとＣＲＣを通過させた場合）
である。
【００４８】
ある実施例では、ＤＬ割当でＤＡＩ（もしそのようなものがあるなら）の使用により可能となるが、少なくとも一つの割当を喪失してしまったということを端末１２０が知る場合、端末１２０は応答しない（ＤＴＸ）ことを選択してもよい。更にまた、この場合に、それはＮＡＫで応答することを選択してもよい。それにも拘らず、ある実施例ではＤＴＸに追加のメッセージがあってもよく、その時には、合計でＫ＋２個のメッセージがある。
【００４９】
更なる実施例では、Ｋ＋１（またはＫ＋２）より少ないメッセージが可能であり、その結果、異なるメッセージの意味は少し異なる可能性がある。例えば、Ｋ＝４であるが４個のみ異なるメッセージで、（ＱＰＳＫ変調を使用、下記参照）、端末１２０は、例えば、下記の４個のメッセージのうちの少なくとも一つで基地局に応答する。即ち、
−ＮＡＫ、
−ＡＣＫ  １またはＡＣＫ  ４、
−ＡＣＫ  ２および
−ＡＣＫ  ３、
または、もう一つの例では、
−ＮＡＫ、
−ＡＣＫ  １、
−ＡＣＫ  ２および
−ＡＣＫ  ３またはＡＣＫ  ４、
またはその他の任意の適当な組合せ
である。
【００５０】
ＤＡＩを使用する実施例では、基地局１１０は、以前のＤＬサブフレーム数と将来に割当てるＤＬサブフレーム数との内の少なくともいずれかを、バンドル・ウインドウ内で端末１２０にシグナリングする。上述のように、端末１２０は、複数のＤＬ割当の受信を完了した場合、それがいずれかのＤＬ割当を喪失したかどうかを見るため、その数を計数し、ＤＡＩでシグナリングした数と比較できる。
【００５１】
別の実施例では、ＤＡＩを使用する場合、適当であるが、ＡＣＫｋは、ｋ＝１，２，……，Ｋとして、サブフレームｋを有するＡＣＫが最後に受信したサブフレームであることを表わす。それ故、基地局１１０は、ありとあらゆるＤＬサブフレームのＤＡＩの内容を知っているので、もしどのＤＬサブフレームが最後に受信されたかを知っているなら、どの端末１２０がバンドル化ＡＣＫ／ＮＡＫに基づいていたかを知るであろう。次に、以前のいずれかのＤＬ割当を喪失したかどうかを端末１２０が見ることによりＤＡＩを使用してもよく、最後に受信したＤＬサブフレームを基地局１１０にシグナリングすることにより、基地局１１０は、いずれかのＤＬ割当が端末側で喪失したかどうかを見ることが可能である。
【００５２】
１実施例では、ＤＡＩは、端末１２０に対して、バンドル・ウインドウにおいて今までにスケジュールされたサブフレームの数を表わす。典型的なシナリオでは、基地局１１０は、バンドル・ウインドウで４個のサブフレーム、Ｓ１、Ｓ２、Ｓ３およびＳ４を端末１２０に送信し、最後にＤＡＩが４個であることを端末１２０にシグナリングする。もし端末１２０がバンドル・ウインドウの最後で一つ以上のサブフレームを喪失するなら、端末１２０は、全てのサブフレームの受信を完了したということを信じるであろう。上述したと同じ方法で、最後に受信したサブフレーム数ｋをＰＳＫコンステレーションポイントに変調するように、エンコードしたＡＣＫメッセージを変調してもよい。もしこのＡＣＫメッセージを受信すると、基地局１１０は、端末１２０がｋ以上の数を有するサブフレームのいずれかを喪失してしまい、その結果、基地局１１０は喪失したサブフレームを端末１２０に再送信する。
【００５３】
例えば（Ａ＝正しく受信、Ｄ＝喪失とすれば）、
−もしＳ１−Ａ、Ｓ２−Ａ、Ｓ３−Ａ、Ｓ４−Ｄなら、
サブフレーム３が最後に正しく受信したサブフレームであったので、端末１２０は基地局１１０にＡＣＫ３を提供するであろう。その結果、基地局１１０はＳ４を再送信するであろう。また、
−もしＳ１−Ａ、Ｓ２−Ａ、Ｓ３−Ｄ、Ｓ４−Ｄなら、
サブフレーム２が最後に正しく受信したサブフレームであったので、端末１２０は基地局１１０にＡＣＫ２を提供するであろう。その結果、基地局１１０はＳ３とＳ４を再送信するであろう。また、
−もしＳ１−Ａ、Ｓ２−Ｄ、Ｓ３−Ｄ、Ｓ４−Ｄなら、
サブフレーム１が最後に正しく受信したサブフレームであったので、端末１２０は基地局１１０にＡＣＫ１を提供するであろう。その結果、基地局１１０はＳ２、Ｓ３およびＳ４を再送信するであろう。
【００５４】
サブフレームをバンドル・ウインドウの最後ではないところで喪失するような場合、端末１２０はエンコードしたＮＡＫメッセージを基地局１１０に送信する。上述したのと同じ方法で、ＡＣＫメッセージを変調するために使用したと思われるＰＳＫコンステレーションポイントとは異なるＰＳＫコンステレーションポイントに、エンコードされたＮＡＫメッセージを変調する。これは、例えば、以下の場合のシナリオに対して発生する。即ち、
−Ｓ１−Ａ、Ｓ２−Ｄ、Ｓ３−Ａ、Ｓ４−Ａ、または
−Ｓ１−Ａ、Ｓ２−Ｄ、Ｓ３−Ｄ、Ｓ４−Ａ、または
−Ｓ１−Ｄ、Ｓ２−Ａ、Ｓ３−Ａ、Ｓ４−Ａ、
等である。
【００５５】
この場合、基地局１１０は、端末１２０が受信しなかったのはどのサブフレームかを知るであろう。従って、基地局１１０は、バンドル・ウインドウ内でサブフレームＳ１、Ｓ２、Ｓ３およびＳ４の全てを再送信してもよい。
【００５６】
基地局１１０のスケジューラは同じサブフレームで幾つかの端末（端末１２０を含む）をスケジュールしてもよく、上述のように、幾つかの実施例では、どれだけ多くの、そしてどのＤＬサブフレームにリソースを割当てたかの記録をつける。ＨＡＲＱフィードバックの検査により、それは、バンドル・ウインドウ内の送信が成功したかどうかを知るであろう。
【００５７】
幾つかの実施例では、スケジューリング要求（ＳＲ）またはＣＱＩ報告と一緒にＰＵＣＣＨで、バンドル化したＡＣＫ／ＮＡＫを端末１２０から基地局１１０に送信するか、または、一般的にＰＵＣＣＨリソースがＰＳＫを搬送することができる場合、使用した変調アルファベットをＫ＋１ＰＳＫと取ることができる。以下の式を使用してもよい。即ち、
Ｓ＿ｋ＝ｅｘｐ｛ｊ＊２＊π／（Ｋ＋１）＊ｋ｝、ｋ＝０，１，……Ｋ
である。
【００５８】
ここでｊ＝ｓｑｒｔ（−１）であり、Ｋはバンドル・ウインドウにおける可能な、即ちスケジュールされていないがスケジュール可能なサブフレーム数の合計であり、ｋはエンコードされたＡＣＫメッセージで確認応答したサブフレーム数である。Ｓ＿ｋは、端末１２０から送信した変調シンボルである。ＰＳＫコンステレーションの幾つかの例を図３ａ、図３ｂおよび図３ｃで与えるが、この内、図３ｂは、この式を使用するＰＳＫコンステレーションを表現する。
【００５９】
図３ａはノン−ユニフォームＰＳＫコンステレーションを示すが、ここでは、ＮＡＫ−＞ＡＣＫ誤り、次にＡＣＫ１−＞ＡＣＫ２誤りに高い要求条件を持つことができるよう、ＡＣＫ１とＡＣＫ２をＮＡＫから、次に互いから遠くに離して配置する。
【００６０】
図３ｂはユニフォームＰＳＫコンステレーションを示すが、ここでは、ＡＣＫ１、ＡＣＫ２、ＡＣＫ３およびＮＡＫを４相ＰＳＫ（ＱＰＳＫ）コンステレーションに配置する。通常ＱＰＳＫはデータに使用するので、基地局１１０または端末１２０にとっては、特殊なコンステレーションＡＣＫ／ＮＡＫフィードバックを持たない方がより容易である。また、同じマッピング機能をデータに使用するようにこのシンボルを読み出し、またはそれらを基地局１１０と端末１２０に書き込む場合、実装したソフトウエアまたはハードウエアの幾つかを再使用することができるかもしれない。
【００６１】
図３ｃは、ＡＣＫ１、ＡＣＫ２、ＡＣＫ３、ＡＣＫ４およびＮＡＫに異なるＰＳＫコンステレーションポイントを表現するノン−ユニフォームＰＳＫコンステレーションを示すが、ここでは、ＮＡＫ−＞ＡＣＫ誤り、次にＡＣＫ１−＞ＡＣＫ２誤りに高い要求条件を持つことができるよう、ＡＣＫ１とＡＣＫ２をＮＡＫから、次に互いから遠くに離して配置する。ＡＣＫ３−＞ＡＣＫ２、ＡＣＫ４−＞ＡＣＫ１が最少に設定されないであろうと同時に、３または４サブフレームの全てが喪失することはそれ程はないであろうから、ＡＣＫ３とＡＣＫ４はＮＡＫにより近く配置してもよい。
【００６２】
Ｐｒ（ＤＴＸ−＞ＡＣＫ）に関して、即ち、喪失した割当をＡＣＫと間違えて解釈するという誤り要求条件に関しては、Ｐｒ（ＮＡＫ−＞ＡＣＫ）、即ち、ＮＡＫをＡＣＫと間違えて解釈するという対応する要求条件より高いか、はるかに高い。例えば、喪失したＤＬ割当を確認応答と解釈するという誤り確率を表わす確率Ｐｒ（ＤＴＸ−＞ＡＣＫ）は、０．０１〜０．１のオーダである。一方、ＮＡＫをＡＣＫと解釈する確率を表わす確率Ｐｒ（ＮＡＫ−＞ＡＣＫ）は、０．０００１〜０．００１のオーダである。それ故、これを有効に使うため、メッセージのエンコードを行なってもよい。この目的のため、別の実施例では、ノン−ユニフォーム（Ｋ＋１）ＰＳＫを使用するエンコードを行なう。ここで、ＮＡＫと最近接のＡＣＫポイントとの間の距離は、任意の２個のＡＣＫの間の最少距離より大きい。このことは、
ｍｉｎ＿（ｉ）Ｐ(ＮＡＫ−＞ＡＣＫ＿ｉ）＜
ｍｉｎ＿（ｊ，ｋ）Ｐ（ＡＣＫ＿ｊ−＞ＡＣＫ＿ｋ）
を意味する。
【００６３】
送信されたＡＣＫメッセージのいずれかをＮＡＫと解釈する確率は、ＡＣＫの数を間違えて解釈する確率より低くあるべきである。上記の表現は、端末１２０からの特定の数のＡＣＫサブフレームを、基地局１１０にあるもう一つの数のＡＣＫサブフレームと間違って解釈するということを表わし、その結果、ＡＣＫのいずれかとしてデコードされるＮＡＫの誤りは、一つのＡＣＫを別のＡＣＫとしてデコードされるという何らかの誤りイベントより少ない。いくつかの例が図４ａ、図４ｂ，図４ｃに示されている。
【００６４】
図４ａは、図３ａに示すものと類似の原理を使用するが、ＮＡＫ−＞ＡＣＫ誤りに対してはさらにより多くの保護となる、ＡＣＫ１、ＡＣＫ２およびＮＡＫのためのノン−ユニフォームＰＳＫコンステレーションを示す。
【００６５】
図４ｂは、図４ａに示すものと類似の原理を使用するが、３個のＡＣＫに拡張して、ＡＣＫ１、ＡＣＫ２、ＡＣＫ３およびＮＡＫのためのノン−ユニフォームＰＳＫコンステレーションを示す。
【００６６】
図４ｃは、図４ａに示すものと類似の原理を使用するが、４個のＡＣＫに拡張して、ＡＣＫ１、ＡＣＫ２、ＡＣＫ３、ＡＣＫ４およびＮＡＫのためのノン−ユニフォームＰＳＫコンステレーションを示す。
【００６７】
幾つかの実施例では、例えば、１６ＱＡＭのようなＱＡＭをＰＳＫの代わりに使用することができる。図５は、ＡＣＫ１とＡＣＫ２（同じコンステレーションポイント）、ＡＣＫ３、ＡＣＫ４、ＡＣＫ５、ＡＣＫ６、ＡＣＫ７、ＡＣＫ８、ＡＣＫ９、ＡＣＫ１０、ＡＣＫ１１、ＡＣＫ１２、ＡＣＫ１３、ＡＣＫ１４、ＡＣＫ１５、ＡＣＫ１６およびＮＡＫを１６ＱＡＭコンステレーションに置く場合のコンステレーションを示し、これを、例えば、高度ＬＴＥで使用してもよい。もっと実際的な設定では、異なる対象の誤り確率に合致するよう選んだ距離で、１６個のコンステレーションポイントのサブセットのみを使用する。
【００６８】
それ故、本発明の主な利点は、シグナリングが削減される点にある。ＡＣＫを送信する場合、サブフレーム数をエンコードするのみであるから、ＡＣＫ／ＮＡＫと受信サブフレーム数の両方に関する情報を搬送するために必要なシグナリングｌｏｇ（２Ｋ）ビットの代わりに、わずかｌｏｇ（Ｋ＋１）ビットを使用すれば良い。
【００６９】
勿論、本発明の本質的な特性から逸脱することなしに、ここで具体的に説明したものより他の方法で本発明を実行してもよい。本発明の実施例は、全ての点で説明に役立つものとして考えるべきであり、制限を与えるものと考えるべきではない。
【００７０】
なお、この開示で本発明を代表的に示すために３ＧＰＰ  ＬＴＥからの用語を使用したが、本発明の範囲を前述のシステムのみに制限するものとして、これを見るべきではない。ＬＴＥ−Ａｄｖ、ＷＣＤＭＡ（登録商標）、ＷｉＭａｘ、ＵＭＢおよびＧＳＭ（登録商標）、同じく将来の無線システムを含むその他の無線システムもまた、この開示内で取り扱う着想を有効に使うことから益が得られるのである。
【００７１】
幾つかの実施例に従う、基地局１１０へのＡＣＫ／ＮＡＫメッセージを提供するための端末１２０における方法のステップについて、図６に描写するフローチャートを参照してここで説明する。上述のように、通信システムは基地局１１０と端末１２０とを有する。この方法は以下のステップを備える。
【００７２】
６０１．端末１２０は、基地局１１０から検出した、結果としてｋである割当られたダウンリンク・サブフレーム数を計数する。
【００７３】
６０２．次に、端末１２０は、計数したｋ個のダウンリンク・サブフレームに含まれる複数のトランスポート・ブロック各々を正しく受信したかどうかを確証する。
【００７４】
６０３．ｋ個のダウンリンク・サブフレームに含まれる複数のトランスポート・ブロック各々を正しく受信したと推定する場合、端末１２０は、ｋ個のサブフレームに関してエンコードされたＡＣＫメッセージを基地局１１０に提供する。そのＡＣＫメッセージにはサブフレーム数ｋを含む。確認応答したサブフレーム数ｋに依存してコンステレーションポイントを選択するように、エンコードされたＡＣＫメッセージを変調してもよい。
【００７５】
６０４．ｋ個のダウンリンク・サブフレームに含まれるトランスポート・ブロックのいずれかを正しく受信しなかったと推定する場合、バンドル化したｋ個のサブフレームに関してエンコードされた一つのＮＡＫメッセージを基地局１１０に提供してもよい。前記ＡＣＫメッセージを変調するために使用したと思われるＰＳＫコンステレーションポイントと異なるＰＳＫコンステレーションポイントを使用して、エンコードされたＮＡＫメッセージを変調してもよい。
【００７６】
６０５．これはオプションのステップである。幾つかの実施例では、端末１２０は、基地局１１０からのダウンリンク割当インデックス“ＤＡＩ”を取得してもよい。これらの実施例では、ＤＡＩは、以前の、そして、将来に割当てるサブフレーム数を表わす。
【００７７】
６０６．このステップはオプションである。幾つかの実施例では、基地局１１０から送信したＤＬサブフレームのいずれかを喪失したかどうかを、端末１２０は確証する。幾つかの実施例では、ステップ６０５でＤＡＩを取得した場合、端末１２０は、受信したＤＬ割当数を基地局１１０からシグナリングしたＤＡＩと比較し、以前のＤＬサブフレームのいずれかを喪失したかどうかを判断する。
【００７８】
６０７．このステップはオプションである。基地局１１０から送信したＤＬサブフレームを喪失したと確証した場合、端末１２０は、一つのエンコードされたＮＡＫメッセージを基地局１１０に提供してもよい。前記ＡＣＫメッセージを変調するために使用したと思われるＰＳＫコンステレーションポイントと異なるコンステレーションポイントに、エンコードされたＮＡＫメッセージを変調する。
【００７９】
６０８．このステップはオプションであり、ステップ６０７に代わるものである。基地局１１０から送信したＤＬサブフレーム全てを喪失したと確証した場合、端末１２０は、不連続送信“ＤＴＸ”で応答を基地局１１０に提供してもよい。
【００８０】
６０９．このステップはオプションであり、ステップ６０７および６０８に代わるものである。基地局１１０から送信した全てのＤＬサブフレームを喪失したと確証した場合、端末１２０は一つのエンコードされたＤＴＸメッセージを基地局１１０に提供してもよい。前記ＡＣＫメッセージを変調するために使用したと思われるＰＳＫコンステレーションポイントと異なるＰＳＫコンステレーションポイントに、エンコードしたＤＴＸメッセージを変調してもよい。
【００８１】
幾つかの実施例では、端末１２０は複数のＰＳＫコンステレーションポイントを有するＰＳＫを使用する。これらの実施例の幾つかでは、端末１２０は、エンコードされたＮＡＫメッセージを送信する場合、複数のＰＳＫコンステレーションポイントの中の第１のコンステレーションポイントＮＡＫを、そして異なるｋの値に関してエンコードされたＡＣＫメッセージを送信する場合は、複数のＰＳＫコンステレーションポイントの中の異なる第２のコンステレーションポイントＡＣＫ１、ＡＣＫ２、ＡＣＫ３およびＡＣＫ４を使用する。異なる第２のコンステレーションポイントＡＣＫ１、ＡＣＫ２、ＡＣＫ３およびＡＣＫ４は全て、第１のコンステレーションポイントＮＡＫと異なり、その場合、選択したコンステレーションポイントは受信サブフレーム数ｋの数に依存してもよい。
【００８２】
幾つかの実施例では、ｋ個のサブフレームに関して、エンコードされたＡＣＫメッセージ、またはＮＡＫメッセージ、またはＰＳＫコンステレーションポイントへのＤＴＸメッセージを送信するために、ユニフォームＰＳＫを使用する。
【００８３】
幾つかの別の実施例では、ｋ個のサブフレームに関して、エンコードされたそれぞれのＡＣＫメッセージ、またはＮＡＫメッセージ、またはＤＴＸメッセージの送信のために、４相位相変調“ＱＰＳＫ”を使用する。
【００８４】
別の具体的な実施例では、端末１２０は、第１のＱＰＳＫコンステレーションポイント、第２のＱＰＳＫコンステレーションポイント、第３のＱＰＳＫコンステレーションポイント、および第４のＱＰＳＫコンステレーションポイントを有するＱＰＳＫを使用する。この実施例では、端末１２０は、エンコードされたＮＡＫメッセージを変調する場合に第１のコンステレーションポイントを、ｋ＝１又は４の時のｋ個のサブフレームに関してエンコードされたＡＣＫメッセージを変調する場合に第２のコンステレーションポイントを、ｋ＝２の時のｋ個のサブフレームに関してエンコードされたＡＣＫメッセージを変調する場合に第３のコンステレーションポイントを、そして、ｋ＝３の時のｋ個のサブフレームに関してエンコードされたＡＣＫメッセージを変調する場合に第４のコンステレーションポイントを使用する。
【００８５】
具体的な実施例では、端末１２０は、ｋ個のサブフレームに関してエンコードされたＡＣＫメッセージ、またはＮＡＫメッセージ、またはＸ−ＱＡＭコンステレーションポイントへのＤＴＸメッセージを変調するために、Ｘ−ＱＡＭを使用する。Ｘは２2、２3、２4、……２Nの任意の値を取ることができる。
【００８６】
幾つかの実施例では、端末１２０は、ｋ個のサブフレームに関してエンコードされたＡＣＫメッセージ、またはＮＡＫメッセージ、またはＰＳＫコンステレーションポイントへのＤＴＸメッセージを変調するために、ノン−ユニフォームＰＳＫを使用する。
【００８７】
基地局１１０にＡＣＫ／ＮＡＫメッセージを提供するための上記の方法のステップを実行するため、端末１２０は図７に描写する端末７００の構成を備える。上述のように、通信システムは、基地局１１０と端末１２０とを有する。
【００８８】
端末１２０は、前記基地局１１０からのダウンリンク割当てで検出されたダウンリンク・サブフレーム数ｋ個を計数し（６０１）、
前記ｋ個のダウンリンク・サブフレームに含まれる複数のトランスポート・ブロック各々が正しく受信されたかどうかを確証し（６０２）、
前記ｋ個のダウンリンク・サブフレームに含まれる前記複数のトランスポート・ブロック各々が正しく受信したとして推定される場合、前記ｋ個のサブフレームに関して、エンコードされたＡＣＫメッセージを前記基地局１１０に提供し（６０３）、
前記ｋ個のダウンリンク・サブフレームに含まれる前記複数のトランスポート・ブロックのいずれかが正しく受信されなかったとして推定される場合、前記ｋ個のダウンリンク・サブフレームに関して、１つのエンコードされたＮＡＫメッセージを前記基地局１１０に提供する（６０４）よう構成される手段を有する。
その端末は、４相シフトキーイング“ＱＰＳＫ”変調を用いて、ｋ個のサブフレームに関して前記エンコードされたＡＣＫメッセージ各々又はＮＡＫメッセージの送信を行うように適合される。前記端末１２０はさらに、前記エンコードされたＮＡＫメッセージを変調するときに第１のコンステレーションポイントを、ｋ＝１或いは４であるとき、ｋ個のサブフレームに関して、前記エンコードされたＡＣＫメッセージを変調するときに第２のコンステレーションポイントを、ｋ＝２であるとき、ｋ個のサブフレームに関して、前記エンコードされたＡＣＫメッセージを変調するときに第３のコンステレーションポイントを、ｋ＝３であるとき、ｋ個のサブフレームに関して、前記エンコードされたＡＣＫメッセージを変調するときに第４のコンステレーションポイントを用いるように適合され、前記エンコードされたＡＣＫメッセージは、前記基地局からのダウンリンク割当てで検出されたサブフレームの数を有する。
その実施例で、端末１２０は基地局１１０から検出した、結果としてｋになる、割当てたダウンリンク・サブフレームの数を計数するよう構成した計数ユニット７１０を備える。
【００８９】
端末は、計数したｋ個のダウンリンク・サブフレームに含まれる複数のトランスポート・ブロック各々を正しく受信したかどうかを確証するよう構成した確証ユニット７２０を更に備える。もし基地局１１０から送信したＤＬサブフレームのいずれかを喪失したかどうかを確証するよう、確証ユニット７２０をさらに構成してもよい。
【００９０】
端末は、ｋ個のサブフレームに関してエンコードされたＡＣＫメッセージを基地局１１０に提供するよう構成した送信ユニット７３０を更に備えてもよい。ｋ個のダウンリンク・サブフレームに含まれる複数のトランスポート・ブロック各々が正しく受信されたと推定する場合、ＡＣＫメッセージにはサブフレーム数ｋを含む。確認応答したサブフレーム数ｋに依存して、コンステレーションポイントを選択するようエンコードされたＡＣＫメッセージを変調してもよい。
【００９１】
ｋ個のダウンリンク・サブフレームに含まれる複数のトランスポート・ブロックのいずれかが正しく受信されなかったと推定する場合、バンドル化したｋ個のサブフレームに関してエンコードされた一つのＮＡＫメッセージを基地局１１０に提供するよう、送信ユニット７３０を更に構成してもよい。前記ＡＣＫメッセージを変調するために使用したと思われるＰＳＫコンステレーションポイントと異なるＰＳＫコンステレーションポイントを使用して、エンコードされたＮＡＫメッセージを変調してもよい。
【００９２】
幾つかの実施例では、基地局１１０から送信したＤＬサブフレームを喪失したことを確証した場合、一つのエンコードされたＮＡＫメッセージを基地局１１０に提供するよう、送信ユニット７３０を更に構成する。前記ＡＣＫメッセージを変調するために使用したと思われるＰＳＫコンステレーションポイントと異なるＰＳＫコンステレーションポイントに、エンコードしたＮＡＫメッセージを変調する。
【００９３】
別の実施例では、基地局１１０から送信した全てのＤＬサブフレームを喪失したことを確証した場合、不連続送信“ＤＴＸ”で基地局１１０に応答を提供するよう、送信ユニット７３０を更に構成してもよい。
【００９４】
更に別の実施例では、基地局１１０から送信した全てのＤＬサブフレームを喪失したことを確証した場合、一つのエンコードしたＤＴＸメッセージを基地局１１０に提供するよう、送信ユニット７３０を更に構成する。前記ＡＣＫメッセージを変調するために使用したと思われるＰＳＫコンステレーションポイントと異なるＰＳＫコンステレーションポイントに、エンコードしたＤＴＸメッセージを変調する。
【００９５】
幾つかの実施例では、複数のＰＳＫコンステレーションポイントを有するＰＳＫを使用するよう、端末１２０を適応させる。これらの実施例の幾つかでは、エンコードしたＮＡＫメッセージを送信する場合、複数のＰＳＫコンステレーションポイントの中の第１のコンステレーションポイントＮＡＫを、そしてｋの異なる値に関してエンコードされたＮＡＫメッセージを送信する場合、複数のＰＳＫコンステレーションポイントの中の異なる第２のコンステレーションポイントＡＣＫ１、ＡＣＫ２、ＡＣＫ３およびＡＣＫ４を使用するよう端末１２０を適応させる。異なる第２のコンステレーションポイントＡＣＫ１、ＡＣＫ２、ＡＣＫ３およびＡＣＫ４は全て、第１のコンステレーションポイントＮＡＫと異なる。そして、選択したコンステレーションポイントは、受信サブフレーム数ｋに依存すると良い。
【００９６】
端末７００の構成にさらに、基地局１１０からのＤＡＩを取得するよう構成した受信ユニット７３０を備えてもよい。ＤＡＩは、以前にそして将来に割当てるＤＬサブフレーム数を表わす。これらの実施例では、以前のＤＬサブフレームのいずれかを喪失してしまったかどうかを判断するため、受信したＤＬ割当数と基地局１１０からシグナリングされたＤＡＩとを比較するよう、確証ユニット７２０を更に構成してもよい。
【００９７】
幾つかの実施例では、ｋ個のサブフレームに関してエンコードされたＡＣＫメッセージ、またはＮＡＫメッセージ、またはＰＳＫコンステレーションポイントへのＤＴＸメッセージを変調するために使用するよう、ユニフォームＰＳＫを適応させる。
【００９８】
幾つかの別の実施例では、ｋ個のサブフレームに関してエンコードされたそれぞれのＡＣＫメッセージ、またはＮＡＫメッセージ、または端末１２０が送信するＤＴＸメッセージを変調するために使用するよう、４相位相変調ＱＰＳＫを適応させる。
【００９９】
具体的な実施例では、第１のＱＰＳＫコンステレーションポイント、第２のＱＰＳＫコンステレーションポイント、第３のＱＰＳＫコンステレーションポイント、および第４のＱＰＳＫコンステレーションポイントを有するＱＰＳＫを使用するよう、端末１２０を適応させる。この実施例では、エンコードされたＮＡＫメッセージを変調する場合に第１のコンステレーションポイントを、ｋ＝１または４の時のｋ個のサブフレームに関してエンコードされたＡＣＫメッセージを変調する場合に第２のコンステレーションポイントを、ｋ＝２の時のｋ個のサブフレームに関してエンコードされたＡＣＫメッセージを変調する場合に第３のコンステレーションポイントを、そして、ｋ＝３の時のｋ個のサブフレームに関してエンコードされたＡＣＫメッセージを変調する場合に第４のコンステレーションポイントを使用するよう端末１２０を適応させる。
【０１００】
幾つかの実施例では、端末１２０は、ｋ個のサブフレームに関してエンコードされたＡＣＫメッセージ、またはＮＡＫメッセージ、またはＸ−ＱＡＭコンステレーションポイントへのＤＴＸメッセージを変調するために、Ｘ−ＱＡＭを使用し、Ｘは２2、２3、２4、……、２Nの任意の値を取ることができる。
【０１０１】
幾つかの実施例では、端末１２０は、ｋ個のサブフレームに関してエンコードされたＡＣＫメッセージ、またはＮＡＫメッセージ、またはＰＳＫコンステレーションポイントへのＤＴＸメッセージを変調するために使用するよう、ノン−ユニフォームＰＳＫを適応させる。
【０１０２】
端末１２０からの確認応答ＡＣＫ／ＮＡＫ報告を処理するため、図８に描写するフローチャートを参照して、幾つかの実施例により、基地局１１０における方法のステップをここで説明する。上述のように、通信システムは、基地局１１０と端末１２０を有する。この方法は以下のステップを備える。
【０１０３】
８０１．基地局１１０は、トランスポート・ブロックを有する複数のダウンリンク・サブフレームを端末１２０に送信する。
【０１０４】
８０２．ｋ個のダウンリンク・サブフレームに含まれる複数のトランスポート・ブロック各々を端末１２０が正しく受信したと確証する場合、基地局はｋ個のサブフレームに関してエンコードされた一つのＡＣＫメッセージを端末１２０から受信する。そのエンコードされたＡＣＫメッセージは、端末１２０が検出したサブフレーム数ｋを含む。端末１２０は、結果としてｋである受信サブフレームの計数を行なう。確認応答のサブフレーム数ｋに依存してコンステレーションポイントを選択するように、そのエンコードされたＡＣＫメッセージを変調してもよい。
【０１０５】
８０３．ｋ個のダウンリンク・サブフレームに含まれる複数のトランスポート・ブロックのいずかが正しく受信されなかったと推定する場合、基地局１１０は、バンドル化したｋ個のサブフレームに関してエンコードされた一つのＮＡＫメッセージを端末１２０から受信してもよい。前記ＡＣＫメッセージを変調するために使用したと思われるＰＳＫコンステレーションポイントと異なるＰＳＫコンステレーションポイントを使用して、そのエンコードされたＮＡＫメッセージを変調してもよい。
【０１０６】
８０４．これはオプションのステップである。幾つかの実施例では、基地局１１０は端末１２０にＤＡＩをシグナリングする。ＤＡＩは、以前の、そして将来の割当てるＤＬサブフレーム数を表わす。ＤＡＩは端末１２０により用いられ、受信したダウンリンク割当数と基地局１１０からシグナリングされたＤＡＩとを比較することにより、基地局１１０から送信したダウンリンク・サブフレームのいずれかを喪失したかどうかを確証する。
【０１０７】
８０５．これはオプションのステップである。端末１２０が、基地局１１０から端末１２０に送信したダウンリンク・サブフレームを喪失したことを確証した場合、基地局１１０は端末１２０からエンコードされた一つのＮＡＫメッセージを受信するかもしれない。前記ＡＣＫメッセージを変調するために使用したと思われるＰＳＫコンステレーションポイントと異なるＰＳＫコンステレーションポイントに、そのエンコードされたＮＡＫメッセージを変調する。
【０１０８】
８０６．これはオプションのステップである。端末１２０が、基地局１１０から端末１２０に送信したｋ個のＤＬサブフレーム全てを喪失したことを確証した場合、基地局１１０は端末１２０から不連続送信ＤＴＸで応答を受信してもよい。
【０１０９】
８０７．これもまたオプションのステップである。端末１２０が、基地局１１０から端末１２０に送信したＤＬサブフレーム全てを喪失したことを確証した場合、基地局１１０は端末１２０から一つのエンコードされたＤＴＸを受信するかもしれない。前記ＡＣＫメッセージを変調するために使用したと思われるＰＳＫコンステレーションポイントと異なるＰＳＫコンステレーションポイントに、そのエンコードされたＤＴＸメッセージを変調する。
【０１１０】
幾つかの実施例では、受信したＡＣＫ／ＮＡＫメッセージにおいて、複数のＰＳＫコンステレーションポイントを有するＰＳＫが使用される。これらの実施例では、エンコードされたＮＡＫメッセージを送信するために、複数のＰＳＫコンステレーションポイントに中の第１のコンステレーションポイントＮＡＫを使用し、異なるｋの値に関してエンコードされたＡＣＫメッセージを送信するため、複数のＰＳＫコンステレーションポイントに中の異なる第２のコンステレーションポイントＡＣＫ１、ＡＣＫ２、ＡＣＫ３およびＡＣＫ４を使用する。異なる第２のコンステレーションポイントＡＣＫ１、ＡＣＫ２、ＡＣＫ３およびＡＣＫ４は全て、第１のコンステレーションポイントＮＡＫと異なってもよく、選択したコンステレーションポイントは数値ｋに依存してもよい。
【０１１１】
幾つかの実施例では、ｋ個のサブフレームに関してエンコードされたＡＣＫメッセージ、またはＮＡＫメッセージ、またはＰＳＫコンステレーションポイントへのＤＴＸメッセージを変調するために、ユニフォームＰＳＫを使用する。
【０１１２】
幾つかの実施例では、ｋ個のサブフレームに関してエンコードされたそれぞれのＡＣＫメッセージ、またはＮＡＫメッセージ、または端末１２０が送信するＤＴＸメッセージのために、ＱＰＳＫを使用する。
【０１１３】
幾つかの更なる実施例では、第１のＱＰＳＫコンステレーションポイント、第２のＱＰＳＫコンステレーションポイント、第３のＱＰＳＫコンステレーションポイント、および第４のＱＰＳＫコンステレーションポイントを有するＱＰＳＫを使用する。これらの実施例では、エンコードされたＮＡＫメッセージを送信するために第１のコンステレーションポイントを使用し、ｋ＝１または４の時のｋ個のサブフレームに関してエンコードされたＡＣＫメッセージの変調のために第２のコンステレーションポイントを使用し、ｋ＝２の時のｋ個のサブフレームに関してエンコードされたＡＣＫメッセージの変調のために第３のコンステレーションポイントを使用し、そして、ｋ＝３の時のｋ個のサブフレームに関してエンコードされたＡＣＫメッセージの変調のために第４のコンステレーションポイントを使用する。
【０１１４】
幾つかの別の実施例では、ｋ個のサブフレームに関してエンコードされたＡＣＫメッセージ、またはＮＡＫメッセージ、またはＸ−ＱＡＭコンステレーションポイントへのＤＴＸメッセージを変調するために、Ｘ−ＱＡＭを使用してもよく、Ｘは２2、２3、２4、……、２Nの任意の値を取ることができる。
【０１１５】
幾つかの別の実施例では、ｋ個のサブフレームに関してエンコードされたＡＣＫメッセージ、またはＮＡＫメッセージ、またはＸ−ＱＡＭコンステレーションポイントへのＤＴＸメッセージを変調するために、ノン−ユニフォームＰＳＫを使用する。
【０１１６】
端末１２０からの確認応答ＡＣＫ／ＮＡＫメッセージを処理するための上記の方法のステップを実行するため、基地局１１０は図９に描写された構成９００を備える。上述のように、通信システムは、基地局１１０と端末１２０とを有する。
【０１１７】
基地局１１０は、
前記端末１２０に割当てられた複数のトランスポート・ブロックを含むダウンリンク・サブフレームの数を送信し（８０１）、
ｋ個のダウンリンク・サブフレームに含まれる複数のトランスポート・ブロック各々が前記端末１２０により正しく受信されたとして推定される場合、前記ｋ個のサブフレームに関して、ｋが前記端末１２０により検出されたサブフレームの数である、１つのエンコードされたＡＣＫメッセージを前記端末１２０から受信し（８０２）、
前記ｋ個のダウンリンク・サブフレームに含まれる前記複数のトランスポート・ブロックのいずれかが正しく受信されなかったとして前記端末１２０により推定される場合、前記ｋ個のサブフレームに関して１つのエンコードされたＮＡＫメッセージを前記端末１２０から受信する（８０３）よう構成されている手段を有する。
その基地局は、４相シフトキーイング“ＱＰＳＫ”変調を用いて、ｋ個のサブフレームに関して前記エンコードされたＡＣＫメッセージ各々又はＮＡＫメッセージの送信を行うように適合され、第１のコンステレーションポイントは、前記エンコードされたＮＡＫメッセージにおける変調のために用いられるように適合され、第２のコンステレーションポイントは、ｋ＝１或いは４であるとき、ｋ個のサブフレームに関して、前記エンコードされたＡＣＫメッセージにおける変調のために用いられるように適合され、第３のコンステレーションポイントは、ｋ＝２であるとき、ｋ個のサブフレームに関して、前記エンコードされたＡＣＫメッセージにおける変調のために用いられるように適合され、第４のコンステレーションポイントは、ｋ＝３であるとき、ｋ個のサブフレームに関して、前記エンコードされたＡＣＫメッセージにおける変調のために用いられるように適合され、前記エンコードされたＡＣＫメッセージは、前記端末がダウンリンク割当てで検出したサブフレームの数を含む。
その実施例で、基地局は複数のトランスポート・ブロックを有する複数のダウンリンク・サブフレームを端末１１０に送信するよう構成した送信ユニット９１０を備える。
【０１１８】
端末１２０にＤＡＩをシグナリングするよう、送信ユニット９１０をさらに構成してもよい。そのＤＡＩは以前に、そして将来に割当てるＤＬサブフレーム数を表わし、受信ＤＬ割当数と基地局１１０からシグナリングされたＤＡＩとを比較することにより、基地局１１０から送信したＤＬサブフレームのいずれかを喪失したかどうかを確証するため、端末１２０が使用するようＤＡＩを適応させる。
【０１１９】
基地局は、ｋ個のサブフレームに関してエンコードされた一つのＡＣＫメッセージを端末１２０から受信するよう構成した受信ユニット９２０を更に備え、そのエンコードされたＡＣＫメッセージには、ｋ個のダウンリンク・サブフレームに含まれる複数のトランスポート・ブロック各々を端末１２０が正しく受信したと確証する場合、端末１２０が検出したサブフレーム数ｋを含む。確認応答であるサブフレーム数ｋに依存してコンステレーションポイントを選択するように、エンコードされたＡＣＫメッセージを変調してもよい。
【０１２０】
受信ユニット９２０は更に、ｋ個のダウンリンク・サブフレームに含まれる複数のトランスポート・ブロックのいずれかを正しく受信しなかったと端末１２０が確証する場合、バンドル化したｋ個のサブフレームに関してエンコードされた一つのＮＡＫメッセージを端末１２０から受信するよう構成される。前記ＡＣＫメッセージを変調するために使用したと思われるＰＳＫコンステレーションポイントと異なるコンステレーションポイントを使用して、そのエンコードされたＮＡＫメッセージを変調してもよい。
【０１２１】
受信ユニット９２０は更に、基地局１１０から端末１２０に送信したｋ個のＤＬサブフレームの全てを端末１２０が喪失したと確証した場合、不連続送信ＤＴＸで端末１２０から応答を受信するよう構成されてもよい。
【０１２２】
受信ユニット９２０は更に、基地局１１０から端末１２０に送信したＤＬサブフレームの全てを端末１２０が喪失したと確証した場合、端末１２０からエンコードした一つのＤＴＸを受信するよう構成されてもよい。前記ＡＣＫメッセージを変調するために使用したと思われるＰＳＫコンステレーションポイントと異なるコンステレーションポイントに、そのエンコードされたＤＴＸメッセージを変調してもよい。
【０１２３】
幾つかの実施例では、受信したＡＣＫ／ＮＡＫメッセージで使用するよう、複数のＰＳＫコンステレーションポイントを有するＰＳＫを適応させる。これらの実施例では、エンコードされたＮＡＫメッセージのために使用するよう、複数のＰＳＫコンステレーションポイントに中の第１のコンステレーションポイントＮＡＫを適応させ、異なるｋの値に関してエンコードされたＡＣＫメッセージのために使用するよう、複数のＰＳＫコンステレーションポイントの中の異なる第２のコンステレーションポイントＡＣＫ１、ＡＣＫ２、ＡＣＫ３、ＡＣＫ４を適応させる。異なる第２のコンステレーションポイントＡＣＫ１、ＡＣＫ２、ＡＣＫ３およびＡＣＫ４は全て、第１のコンステレーションポイントＮＡＫと異なってもよく、選択したコンステレーションポイントは数ｋに依存してもよい。
【０１２４】
幾つかの実施例では、ｋ個のサブフレームに関してエンコードされたＡＣＫメッセージ、またはＮＡＫメッセージ、またはＰＳＫコンステレーションポイントへのＤＴＸメッセージを変調するために、ユニフォームＰＳＫを使用する。
【０１２５】
幾つかの実施例では、ｋ個のサブフレームに関してエンコードされたそれぞれのＡＣＫメッセージ、またはＮＡＫメッセージ、または端末１２０が送信するＤＴＸメッセージのために、ＱＰＳＫを使用する。
【０１２６】
幾つかの更なる実施例では、第１のＱＰＳＫコンステレーションポイント、第２のＱＰＳＫコンステレーションポイント、第３のＱＰＳＫコンステレーションポイント、および第４のＱＰＳＫコンステレーションポイントを有するＱＰＳＫを使用する。これらの実施例では、エンコードされたＮＡＫメッセージの変調のために第１のコンステレーションポイントを使用し、ｋ＝１または４の時のｋ個のサブフレームに関してエンコードされたＡＣＫメッセージの変調のために第２のコンステレーションポイントを使用し、ｋ＝２の時のｋ個のサブフレームに関してエンコードされたＡＣＫメッセージの変調のために第３のコンステレーションポイントを使用し、そして、ｋ＝３の時のｋ個のサブフレームに関してエンコードされたＡＣＫメッセージの変調のために第４のコンステレーションポイントを使用する。
【０１２７】
幾つかの別の実施例では、ｋ個のサブフレームに関してエンコードされたＡＣＫメッセージ、またはＮＡＫメッセージ、またはＸ−ＱＡＭコンステレーションポイントへのＤＴＸメッセージを変調するために、Ｘ−ＱＡＭを使用してもよく、Ｘは２2、２3、２4、……、２Nの任意の値を取ることができる。
【０１２８】
幾つかの別の実施例では、ｋ個のサブフレームのためにエンコードされたＡＣＫメッセージ、またはＮＡＫメッセージ、またはＸ−ＱＡＭコンステレーションポイントへのＤＴＸメッセージの変調のため、ノン−ユニフォームＰＳＫを使用する。
【０１２９】
本発明の解決策の機能を実行するためのコンピュータプログラムコードと共に、図７で描写された端末７００の構成におけるプロセッサ７４０または図９で描写された基地局９００の構成におけるプロセッサ９３０のように、一つ以上のプロセッサを通して確認応答ＡＣＫ／ＮＡＫ報告を処理するための上述の本発明の機構が実装されてもよい。また、例えば、基地局１１０または端末１２０にロードした場合、本発明の解決策を実行するためのコンピュータプログラムコードを運ぶデータ担持体の形式で、上述のプログラムコードをコンピュータプログラムとして提供してもよい。一つのそのような担持体は、ＣＤ−ＲＯＭディスクの形式であってもよい。しかしながら、それは、メモリスティックのようなその他のデータ担持体で実現可能である。更に、サーバ上の純粋なプログラムコードとしてコンピュータプログラムコードを提供し、基地局１１０または端末１２０に遠隔操作でダウンロードしても良い。
【０１３０】
単語“有する”または“有している”を使用する場合、非制限的である、即ち、“少なくとも〜からなる”を意味していると解釈すべきである。
【０１３１】
本発明は上記説明した好適な実施例に制限されるものではない。各種の代替、修正および等価物が使用されてもよい。従って、上記の実施例は、添付の請求の範囲が定義する本発明の範囲を制限するものとして受け取るべきではない。
【図１】
0005607808.tif 000002
【図２ａ】
0005607808.tif 000003
【図２ｂ】
0005607808.tif 000004
【図３ａ】
0005607808.tif 000005
【図３ｂ】
0005607808.tif 000006
【図３ｃ】
0005607808.tif 000007
【図４ａ】
0005607808.tif 000008
【図４ｂ】
0005607808.tif 000009
【図４ｃ】
0005607808.tif 000010
【図５】
0005607808.tif 000011
【図６】
0005607808.tif 000012
【図７】
0005607808.tif 000013
【図８】
0005607808.tif 000014
【図９】
0005607808.tif 000015